(57)【要約】【課題】雑草抑制や、肥料の抱持や、飛砂防止の効果を発揮する培土を提供する。【解決手段】スギ・ヒノキ等の腐食樹皮を、木質部分から剥ぎ取った後に、多量に積み上げて積載状態とし、該積載した樹皮の内部において嫌気性発酵状態を発生させ、該スギ・ヒノキ等の天然樹皮を炭化させ、該炭化後のスギ・ヒノキ等の天然樹皮を、クラッシャーにより圧砕し、細い腐食繊維よりなる培土とし、該培土を、土壌に混合する構成において、該培土を土壌に混合する前に、３３〜６３％の含水率となるように水分を噴射加水するスギ・ヒノキ等の針葉樹の天然樹皮より成る培土であり、銀製の電極によりイオン化された銀イオンを付加したものである。【選択図】図１
2014187961.tif 000002
【特許請求の範囲】
【請求項１】
スギ・ヒノキ等の天然樹皮を、木質部分から剥ぎ取った後に、多量に積み上げて積載状
態とし、該積載した樹皮の内部において嫌気性発酵状態を発生させ、該スギ・ヒノキ等の
天然樹皮を炭化させ、該炭化後のスギ・ヒノキ等の腐食樹皮を、クラッシャーにより圧砕
し、細い腐食繊維よりなる培土とし、該培土を、土壌に混合する構成において、該培土を
土壌に混合する前に、３３〜６３％の含水率となるように水分を噴射加水することを特徴
とする加水したスギ・ヒノキ等の針葉樹の腐食樹皮より成る培土。
【請求項２】
請求項１記載のスギ・ヒノキ等の針葉樹の腐食樹皮より成る培土において、該スギ・ヒ
ノキ等の腐食樹皮培土を、芝生を植生したサッカー場などの運動施設において、雑草抑制
用の培土として現地土の表層土と混合することを特徴とする加水したスギ・ヒノキ等の針
葉樹の腐食樹皮より成る培土。
【請求項３】
請求項１記載のスギ・ヒノキ等の針葉樹の腐食樹皮より成る培土において、ヒノキを主
体とした培土を、スポーツグラウンド等のベアグランドにおいて、現地土の表層土と混合
することを特徴とする加水したヒノキの腐食樹皮より成る培土。
【請求項４】
請求項１〜３のいずれか一項に記載の加水したスギ・ヒノキ等の針葉樹の腐食樹皮より成る培土において、前記加水する水として、金属イオン水発生装置を通過させた金属イオン水を加水することを特徴とする加水したスギ・ヒノキ等の針葉樹の腐食樹皮より成る培土。
【請求項５】
請求項４記載の加水したスギ・ヒノキ等の針葉樹の腐食樹皮より成る培土において、該
金属イオン水は、銀製の電極によりイオン化された銀イオンとすることを特徴した加水し
たスギ・ヒノキ等の針葉樹の腐食樹皮より成る培土。
【請求項６】
請求項５記載の加水したスギ・ヒノキ等の針葉樹の腐食樹皮より成る培土において、前
記スギ・ヒノキ等の腐食樹皮培土に加水し、芝生植生地の表層土に混合することを特徴と
する加水したスギ・ヒノキ等の針葉樹の腐食樹皮より成る培土。
【請求項７】
請求項５記載の加水したスギ・ヒノキ等の針葉樹の腐食樹皮より成る培土において、前
記加水した培土を、ヒノキを主体とした腐食樹皮培土とし、陸上競技用トラックなどのベ
アグランドに表層土に混合することを特徴とする加水したスギ・ヒノキ等の針葉樹の腐食
樹皮より成る培土。
【発明の詳細な説明】
【技術分野】
【０００１】
本発明は、サッカー場等の芝生植生地において、雑草抑制効果を発揮させたり、表層土
や肥料分の流れ出しを抑制したり、芝生植生サッカー場等の表土の緩衝効果を向上する、
スギ・ヒノキ等の腐食樹皮培土に関し、この培土の施工時における表層土との混合困難性
を解消させる為に、該培土に加水する技術に関するものである。
また、スギ・ヒノキ等の腐食樹皮の生育阻害効果を利用し、体育施設や公園等のベアグ
ラウンドの土壌に混合して、ベアグラウンドの表層土における雑草の発生や、表層土の飛
砂を抑制する培土が、施工時に表層土との混合困難性があるのでこれを解消するものであ
る。また、これらの効果を、難分解性であるために土壌改良効果を長持ちさせるものであ
る。
【背景技術】
【０００２】
スギ・ヒノキ等の腐食樹皮より構成した培土を、スポーツターフや芝広場やサッカー場
等の緑化した芝生植生地の土壌と混ぜて、芝の生育基盤の通気性、水はけと保水性のバラ
ンスを良好とし、芝の生育を良くし、強い芝生を育成したり、水分を肥料分を抱持して、
土壌の流出を阻止し、肥料分の流れ出しを阻止し、土壌の緩衝性能を高める技術は公知と
されている。
【０００３】
また、渠排水や砕石基盤工事をも必要とせずに、現地土壌との混合により構成する芝生
植生の性質の向上作用を得ることも公知とされている。または、強いアルカリ土壌を中和
させる作用をスギ・ヒノキ等の腐食樹皮の培土により行ったりする技術も公知とされてい
る。
また、芝生の根の張りを良くして、活着性を高めたり、芝生の葉緑素を多くし、長時間
緑の状態を保ったりする技術も公知とされている。
また、スギ・ヒノキ等の腐食樹皮の培土が難分解性を利用し、芝生植生向上効果を得る
為のスギ・ヒノキ等の針葉樹の腐食樹皮より成る培土も公知とされている。
【０００４】
また、芝を植生せずに、土壌表面が露出したベアグランドである、学校の校庭や、多目
的広場や、野球場や、ベアグラウンドのサッカー場や、テニスコートや、ゲートボール場
や、公園などの土壌表面の場所において、加水したスギ・ヒノキ等の針葉樹の腐食樹皮よ
り成る培土を混合するクレイ工法も公知とされている。
【０００５】
このクレイ工法においては、基盤の透水能力を向上させることにより、降雨後の水はけ
を良くし、グラウンドの泥濘化を阻止し、よって、水はけの良いグラウンドを作り、降雨
後も速やかに使用可能なグラウンドとし、またベアグランドの足に対する緩衝性を向上す
るという技術も公知とされている。
また、グラウンドの乾燥時には、本発明のスギ・ヒノキ等の腐食樹皮培土が土壌を抱持
し、肥料分を抱持し、表層土が飛散しにくく、表層土の流出を少なくする技術についても
特許文献に記載の如く技術が公知とされている。
【先行技術文献】
【特許文献】
【０００６】
【特許文献１】特開平５−２６９２６２号公報
【特許文献２】特開２００１−３１９６９号公報
【発明の概要】
【発明が解決しようとする課題】
【０００７】
本発明のスギ・ヒノキ等の腐食樹皮を嫌気性発酵した後に圧砕した腐食樹皮培土を、芝
生植生土壌や、グラウンドなどの表層土が露出したベアグランドにおいて、土壌と混合す
ることにより、前記したような効果を発揮させる培土施工技術と施工方法に関しては、前
述の特許文献により公知とされているのである。
【０００８】
本発明は、該スギ・ヒノキ等の天然樹皮を嫌気性発酵した後に圧砕した腐食樹皮培土を
施工する際において、該培土が現地土や混合する他の表層土との間で、工事中において混
合し難く、工事が終了した後に、該培土が、現地表層土や混合土から分離して、風で飛散
し、初期に目指した雑草抑制や、肥料の抱持や、飛砂防止の効果を発揮しないという不具
合があったのである。
【０００９】
このように、現地の芝生土や、ベアグランドの表層土との混合性の悪さを解消するもの
である。
即ち、本発明のスギ・ヒノキ等の天然樹皮を積み上げて嫌気性発酵した後に、圧砕し、
該圧砕した腐食樹皮は、クラッシャーから出て来た状態では、含水率が低く、そのまま施
工グラウンドに持って行って、表層土と混合したのでは、現地表層土と、培土との間の含
水率の差により、例え混合した状態で敷設施工したとしても、十分に現地表層土との間の
混合状態が得られなかったのである。
【００１０】
本発明は、このような、表層土との間の混合具合の悪さを解消する為に、スギ・ヒノキ
等の腐食樹皮により構成した培土の方に、施工時において現地表層土との間で馴染んだ状
態で混合しやすくするように、水を加水噴射し、一定の含水率まだ高めてから、混合する
ものである。
【００１１】
また、この噴射する水を、通常の水以外に、金属イオンを含んだ金属イオン水とし、そ
の中でも特に、金属を銀とした銀イオン水とすることにより、培土を構成する腐食樹皮培
土への銀イオンのコーティング状態を作らせて、スギ・ヒノキ等の腐食樹皮培土の難分解
性を更に遅くし、雑草植生阻害や、芝生の緑化効果を長続きさせるとするものである。
【課題を解決するための手段】
【００１２】
本発明は上記の課題を解決する為に、加水したスギ・ヒノキ等の針葉樹の天然樹皮より
成る腐食樹皮培土を提供するものである。
【００１３】
請求項１においては、スギ・ヒノキ等の天然樹皮を、木質部分から剥ぎ取った後に、多
量に積み上げて積載状態とし、該積載した樹皮の内部において嫌気性発酵状態を発生させ
、該スギ・ヒノキ等の天然樹皮を炭化させ、該炭化後のスギ・ヒノキ等の腐食樹皮を、ク
ラッシャーにより圧砕し、細い腐食繊維よりなる培土とし、該培土を、土壌に混合する構
成において、該培土を土壌に混合する前に、３３〜６３％の含水率となるように水分を噴
射加水するものである。
【００１４】
請求項２においては、請求項１記載のスギ・ヒノキ等の針葉樹の腐食樹皮より成る培土
において、該スギ・ヒノキ等の腐食樹皮培土を、芝生を植生したサッカー場などの運動施
設において、雑草抑制用の腐食樹皮培土として現地土の表層土と混合するものである。
【００１５】
請求項３においては、請求項１記載のスギ・ヒノキ等の針葉樹の腐食樹皮より成る培土
において、ヒノキを主体とした培土を、スポーツグラウンド等のベアグランドにおいて、
現地土の表層土と混合するものである。
【００１６】
請求項４においては、請求項１乃至３のいずれか一項に記載のスギ・ヒノキ等の針葉樹の腐食樹皮より成る培土において、前記加水する水として、金属イオン水発生装置を通過させた金属イオン水を加水するものである。
【００１７】
請求項５においては、請求項４に記載のスギ・ヒノキ等の針葉樹の腐食樹皮より成る培
土において、該金属イオン水は、銀製の電極によりイオン化された銀イオンとするもので
ある。
【００１８】
請求項６においては、請求項５に記載のスギ・ヒノキ等の針葉樹の腐食樹皮より成る培
土において、前記加水した培土を、芝生植生地の表層土に混合するものである。
【００１９】
請求項７においては、請求項５に記載のスギ・ヒノキ等の針葉樹の腐食樹皮より成る培
土において、前記加水した培土を、陸上競技用トラックなどのベアグランドに表層土に混
合するものである。
【発明の効果】
【００２０】
本発明は以上の如く構成したので、次のような効果を奏するものである。
【００２１】
請求項１においては、スギ・ヒノキ等の天然樹皮を、木質部分から剥ぎ取った後に、多
量に積み上げて積載状態とし、該積載した樹皮の内部において嫌気性発酵状態を発生させ
、該スギ・ヒノキ等の天然樹皮を腐食樹皮培土とし、該炭化後のスギ・ヒノキ等の天然樹
皮を、クラッシャーにより圧砕し、細い腐食繊維よりなる培土とし、該培土を、土壌に混
合する構成において、該培土を土壌に混合する前に、３３〜６３％の含水率となるように
水分を噴射加水することを特徴とする加水したスギ・ヒノキ等の針葉樹の腐食樹皮より成
る培土であるので、現地土の表層土と混合する際において、表層土と比重の相違からスギ
・ヒノキ等の針葉樹の腐食樹皮より成る培土の方が浮き上がって、表層に残り、その後の
雨水や強風により、流出しすることにより発生する不具合を解消することが出来たのであ
る。
【００２２】
これにより、芝生植生状態向上や芝生植生地の雑草繁茂阻止の効果、土壌流出阻止、肥
料成分流出阻止効果、及びスポーツグラウンド等のベアグランドにおける、ベアグランド
の雑草抑制効果、ベアグランドの飛砂防止効果、雨水により泥濘化阻止、肥料や表層土の
流出阻止効果の減退を阻止することができるのである。。
【００２３】
請求項２においては、請求項１記載のスギ・ヒノキ等の針葉樹の腐食樹皮より成る培土
において、該スギ・ヒノキ等の腐食樹皮培土を、芝生を植生したサッカー場などの運動施
設において、雑草抑制用の培土として現地土の表層土と混合することを特徴とするスギ・
ヒノキ等の針葉樹の腐食樹皮より成る培土であるので、芝生植生状態向上や芝生植生地の
雑草繁茂阻止の効果、土壌流出阻止、肥料成分流出阻止効果を発揮することが出来るので
ある。
【００２４】
即ち、スギ・ヒノキ等の腐食樹皮培土が土壌と絡みあって、抱持状態を作りだすので、
表層土の雨水や強風による流出がなくなり、芝生育基盤の通気性、水はけと保水性のバラ
ンスの向上により、芝生の生育が良くなり、踏圧に強い芝生とすることができるのである
。また、芝生の根張りが良くなり、活着よく、葉緑素が多く、長時間緑の状態を保持する
ことが出来るのである。
難分解性であるので、上記の効果を長く維持することが出来るのである。
【００２５】
請求項３においては、請求項１記載のスギ・ヒノキ等の針葉樹の腐食樹皮より成る培土
において、ヒノキを主体とした培土を、スポーツグラウンド等のベアグランドにおいて、
現地土の表層土と混合することを特徴とするスギ・ヒノキ等の針葉樹の腐食樹皮より成る
培土であるので、スポーツグラウンド等のベアグランドにおける、ベアグランドの雑草抑
制効果、ベアグランドの飛砂防止効果、雨水により泥濘化阻止、肥料や表層土の流出阻止
効果を発揮することが出来るのである。難分解性であるので、上記の効果を長く維持する
ことが出来るのである。
【００２６】
請求項４においては、請求項１〜３の請求項のいずれかに記載の加水したスギ・ヒノキ
等の針葉樹の腐食樹皮より成る培土において、前記加水する水として、金属イオン水発生
装置を通過させた金属イオン水を加水することを特徴とする加水したスギ・ヒノキ等の針
葉樹の腐食樹皮より成る培土としたので、金属イオンが、前記スギ・ヒノキ等の腐食樹皮
培土の表面に付着することにより、培土による雑草の種子の発芽抑制効果の他に、金属イ
オンによる表層土中の種々の菌類に対する殺菌効果が発揮されて、更に、芝生植生状態向
上や芝生植生地の雑草繁茂阻止の効果と、スポーツグラウンド等のベアグランドにおける
、ベアグランドの雑草抑制効果、ベアグランドの飛砂防止効果、雨水により泥濘化阻止、
肥料や表層土の流出阻止効果を向上させることが出来るのである。
【００２７】
請求項５においては、請求項４記載の加水したスギ・ヒノキ等の針葉樹の腐食樹皮より
成る培土において、該金属イオン水は、銀製の電極によりイオン化された銀イオンとする
ことを特徴した加水したスギ・ヒノキ等の針葉樹の腐食樹皮より成る培土であるので、芝
生植生状態向上や芝生植生地の雑草繁茂阻止の効果と、スポーツグラウンド等のベアグラ
ンドにおける、ベアグランドの雑草抑制効果、ベアグランドの飛砂防止効果、雨水により
泥濘化阻止、肥料や表層土の流出阻止効果を発揮できることは勿論、銀イオンによる減菌
効果を期待できるのである。
更に、銀イオンが、スギ・ヒノキ等の腐食樹皮培土の表面に銀のコーティング状態を発
生するので、該培土の効果と、銀イオンによる滅菌効果が、更に持続されるのである。
【００２８】
請求項６においては、請求項５記載の加水したスギ・ヒノキ等の針葉樹の腐食樹皮より
成る培土において、前記加水した培土を、芝生植生地の表層土に混合することを特徴とす
る加水したスギ・ヒノキ等の針葉樹の腐食樹皮より成る培土であるので、芝生植生状態向
上や芝生植生地の雑草繁茂阻止の効果を発揮することが出来るのである。これに加えて、
金属イオンの中で特に銀イオンをスギ・ヒノキ等の腐食樹皮培土に付着させることが可能
となり、滅菌効果を向上するのである。
また、芝生植生地の表層土の雨水や強風による流出を防ぎ、芝生に混じって生える雑草
を少なくすることが出来るのである。
【００２９】
請求項７においては、請求項５記載の加水したヒノキの腐食樹皮より成る培土において
、前記加水した培土を、陸上競技用トラックなどのベアグランドに表層土に混合すること
を特徴とする加水したヒノキの腐食樹皮より成る培土であるので、金属イオンにより滅菌
効果を、スギ・ヒノキ等の腐食樹皮培土により効果に相乗的に付加することが出来るので
ある。
【００３０】
また、銀は、人体に対しても悪影響を与えないので、スポーツグラウンド等のベアグラ
ンドにおける、ベアグランドの雑草抑制効果、ベアグランドの飛砂防止効果、雨水により
泥濘化阻止、肥料や表層土の流出阻止効果においても、人体に対して悪影響を与えること
が無いのである。
【図面の簡単な説明】
【００３１】
【図１】本発明の加水したスギ・ヒノキ等の針葉樹の腐食樹皮より成る培土の製造システムを示す全体図。
【図２】本発明の金属イオン水製造システムを示す斜視図。
【図３】金属イオン水発生装置の拡大図。
【図４】金属イオン発生装置の電極部分の拡大図。
【図５】銀イオンの除菌効果を示す図面。
【図６】銀イオンの除菌原理を示す図面。
【図７】本発明の加水したスギ・ヒノキ等の針葉樹の腐食樹皮より成る培土の製造工程を示すシステム図。
【図８】加水したスギ・ヒノキ等の針葉樹の腐食樹皮より成る培土の製造システムにおけるクラッシャー部分の拡大図。
【図９】図６のクラッシャーの内部の爪の配置を示す断面図。
【図１０】加水したスギ・ヒノキ等の針葉樹の腐食樹皮より成る培土の製造装置におけるトロンメル選別機の拡大図。
【図１１】トロンメル選別機の断面図。
【図１２】加水したスギ・ヒノキ等の針葉樹の腐食樹皮より成る培土を示す図面。
【図１３】本発明のスギ・ヒノキ等の腐食樹皮培土を示す図面である。
【発明を実施するための形態】
【００３２】
図７において、本発明のスギ・ヒノキ等の腐食樹皮培土の製造プラントについて説明す
る。伐採されたスギ・ヒノキ等の樹木（Ｔ）から、樹皮（Ｊ）がついた状態の木材（Ｎ）
を切り出す。該木材（Ｎ）は樹皮（Ｊ）が付いた状態では、住宅用にも利用が不可能であ
るので製材所において、樹皮（Ｊ）を人口的に剥ぎ取る作業を行い、次の製材工程におい
て板材に切断する。本発明のスギ・ヒノキ等の腐食樹皮培土は、該人口的に木材（Ｎ）か
ら剥ぎ取ったものや、木材（Ｎ）を伐採した後に、直ぐには製材せずに、積み上げて枯れ
るのを待った状態で、自然にはげ落ちた樹皮（Ｊ）も利用することが出来るのである。
製材所で樹皮（Ｊ）を剥ぎ取った後において、該樹皮（Ｊ）は不用な廃棄物となる。従
来は、山間部の所定に処理場に積み上げられて堆肥化されるのを待って、植林地帯に戻す
等の廃棄物処理が行われていたのである。
この樹皮（Ｊ）を、スギ・ヒノキ等の腐食樹皮培土（Ｍ）として、再度、植物育成用の
土壌や芝生地雑草抑制培土や、ベアグランドの雑草防止培土や、飛砂防止培土や、泥濘化
防止培土として使用するのである。
この樹皮を積み上げる際において、スギとヒノキは別々にして完全に分離した状態で積
み上げて腐食させるのである。そして、スギ・ヒノキ以外のヒバなどの樹木の場合も別々
に剥がした樹皮を積み上げるのである。
【００３３】
このようにスギとヒノキを別々の山とし５ｍ以上に積み上げて、スギの場合には、３年
以上の間、嫌気性発酵させ、ヒノキの場合には、同じく５ｍ以上に積み上げて、６ヶ月で
腐食樹皮培土として使用することが可能となるのである。
そして、芝生植生地の培土とする場合には、スギとヒノキの腐食樹皮培土を目的に併せ
て、所望の割合に混合した腐食樹皮培土とするのである。これにより芝生植生状態向上や
芝生植生地の雑草繁茂阻止の効果、土壌流出阻止、肥料成分流出阻止効果を得るのである
。
それに対して、ベアグランドの腐食樹皮培土とする場合には、ヒノキを主体とした腐食
樹皮培土を表層土と混合して、スポーツグラウンド等のベアグランドにおける、ベアグラ
ンドの雑草抑制効果、ベアグランドの飛砂防止効果、雨水により泥濘化阻止、肥料や表層
土の流出阻止効果を得るのである。
【００３４】
図７に示す如く、スギ・ヒノキ等の樹木（Ｔ）から樹皮（Ｊ）を剥ぎ取り、これを所定
の高さ（５ｍ）以上にまで積み上げると、外側は好気性発酵が起きるので、温度が上がり
、この外側の温度が上がることにより、積み上げた樹皮（Ｊ）の内部においては、嫌気性
状態が発生し、嫌気性発酵状態が発生するのである。嫌気性発酵状態では、樹皮（Ｊ）は
燃え上がって灰となることはなく、徐々に炭化して、ボロボロの脆い、炭化性樹皮が出来
上がるのである。
【００３５】
スギの場合には、嫌気性発酵状態を３年間以上続けることにより、芝生植生地の芝生を
育成し、雑草の発生を阻止する抑制培土として、スギ・ヒノキ等の腐食樹皮培土（Ｍ）が
使用されるのである。
また、ヒノキの場合には、６ヶ月以上を嫌気性発酵させると、スポーツグラウンドや大
規模太陽光発電施設等のベアグランドにおいて、表層土に混合して、雑草防止培土や、飛
砂防止培土や、泥濘化防止培土として使用することが可能となるのである。
【００３６】
原料に使用する樹皮（Ｊ）は、国産のスギ・ヒノキであり、他の樹種は使用しない。樹
皮（Ｊ）は、自然剥離したものが最良であるが、その他の木材市場で原木の荷積み、荷下
ろし、皮剥ぎ等の際に剥がれる樹皮（Ｊ）も原料として用いることが出来る。
スギ・ヒノキ等の天然樹皮を積み上げる高さは、前述の如く５ｍ以上とし、従来の堆肥
の製造方法とはことなる内部の嫌気性発酵を発生させるのであるから、堆肥の切り返しは
行わない。むしろ、積極的に樹皮（Ｊ）も嫌気性状態にする必要があり、積み上げた状態
を維持するのである。
【００３７】
一般的にスギ・ヒノキ等の腐食樹皮培土（Ｍ）を製造する場合には、まずは積み上げた
樹皮（Ｊ）の山の外側から、好気性発酵が発生し、微生物の活動により外側の樹皮（Ｊ）
が酸化されて発熱を伴うが、発熱により水と炭酸ガスが発生するので、自然発火は発生し
ない。そして、積み上げた樹皮（Ｊ）の内部は、温度が９０°Ｃ程度まで上昇し、樹皮（
Ｊ）の山の内部は嫌気性発酵状態となり、樹皮は嫌気性の状態で発酵されることにより、
有機酸が生成され、樹皮（Ｊ）は炭化される。
【００３８】
この場合において、スギの樹皮は、３年間以上の嫌気性発酵状態において、熱により変
質し、微生物分解を受け易い腐食樹皮培土の状態となる。
また、ヒノキの樹皮は、６ヶ月間の嫌気性状態の発酵によっても、殆ど変質せずに、植
物生育阻害物質が培土中に残り、雑草防止培土や、飛砂防止培土や、泥濘化防止培土とし
て使用することが可能となるのである。
【００３９】
図７において図示する如く積み上げて、スギは３年間以上、ヒノキは６ヶ月以上の間嫌
気性発酵を行ったスギ・ヒノキ等の腐食樹皮培土は、ハンマークラッシャー（Ｆ）により
破砕し、次に、回転式トロンメル選別機（Ｇ）で一定の長さのスギ・ヒノキ等の腐食樹皮
培土（Ｍ）に選別されるのである。
【００４０】
３年間以上の間、嫌気性発酵処理したスギの樹皮培土と、６ヶ月以上の間、嫌気性発酵
させたヒノキの樹皮培土とは、どちらも、図７のハンマークラッシャー（Ｆ）と回転式ト
ロンメル選別機（Ｇ）で圧砕・選別処理して、スギ・ヒノキ等の腐食樹皮培土（Ｍ）とす
ることが出来るのである。
該ハンマークラッシャー（Ｆ）と回転式トロンメル選別機（Ｇ）により処理後のスギ・
ヒノキ等の腐食樹皮培土（Ｍ）は、１〜５０ｍｍの長さの短繊維状樹皮が絡まった綿状腐食樹皮培土となるのである（図１３）。
【００４１】
さらに、ハンマークラッシャー（Ｆ）の後の段階で、回転式トロンメル選別機（Ｇ）を
通すことにより、ハンマークラッシャー（Ｆ）で圧砕出来なかった特に長いスギ・ヒノキ
等の腐食樹皮培土（Ｍ）は、選別して排除することが出来るのである。
回転式トロンメル選別機（Ｇ）は円筒状の選別回転部に１２ｍｍの多数の穿孔が開口されているので、これにより、スギ・ヒノキ等の腐食樹皮培土（Ｍ）は、特に１２ｍｍ以下の綿状繊維培土となるのである。
【００４２】
図８と図９の記載より、ハンマークラッシャー（Ｆ）の構成について説明する。
前記ハンマークラッシャー（Ｆ）は、傾斜円筒容器（１４）を２０〜４０度に傾斜させ
ており、該傾斜円筒容器（１４）の上部に入口ホッパー（１５）を構成し、下方の出口側
に出口筒（１６）を配置し、該傾斜円筒容器（１４）の内部に回転クラッシャー軸（１７
）を架設している。
【００４３】
該回転クラッシャー軸（１７）に、破砕爪取付杆（１２）を立設しており、該破砕爪取
付杆（１２）は、入口部分にはスパイラル爪（１０）を取り付けるために、回転クラッシ
ャー軸（１７）のスパイラル状の位置に配置されている。該スパイラル爪（１０）は、入
口ホッパー（１５）から投入される嫌気性発酵状態を終了した樹皮（Ｊ）を、傾斜円筒容
器（１４）の内部にスムーズに取り込む役目をしている。
【００４４】
該スパイラル爪（１０）の後には、破砕爪取付杆（１２）の先端に２枚の破砕爪（１１
・１１）をボルトにより回転可能に枢支して取り付けている。
該破砕爪（１１・１１）は、回転クラッシャー軸（１７）の回転と共に、遠心力で外方
に突出して、傾斜円筒容器（１４）の内部の突起部分との間で、樹皮（Ｊ）を圧迫して圧
砕を行うのである。この圧砕は刃による切断とは相違し、嫌気性発酵によりボロボロ状態
となったスギ・ヒノキ等の腐食樹皮培土（Ｍ）を圧力により、破砕するので、大きな動力
を要しないのである。
【００４５】
嫌気性発酵させたスギ・ヒノキのどちらも、十分にボロボロ状態となっているので、ハ
ンマークラッシャー（Ｆ）により１〜５０ｍｍ程度に圧砕することにより、短繊維状となり、これが絡まった短繊維が絡んだ綿の状態となっているのである。
該ハンマークラッシャー（Ｆ）により圧砕されて、絡んだ綿状短繊維となっているスギ
・ヒノキ等の腐食樹皮培土（Ｍ）を、次に回転式トロンメル選別機（Ｇ）により、更に１
２ｍｍ以下の絡んだ綿状短繊維に選別して、長さの整ったスギ・ヒノキ等の絡んだ綿状短繊維の腐食樹皮培土（Ｍ）とするのである。
【００４６】
該回転式トロンメル選別機（Ｇ）は、図１０と図１１において図示する如く構成されて
いる。
入口ホッパー（２０）と出口筒（２１）により構成された穿孔回転筒篩（１３）には、
１２ｍｍの穿孔（１９）が全面に穿設されている。該穿孔回転筒篩（１３）から抜けた、１２ｍｍ以下のスギ・ヒノキ等の腐食樹皮培土（Ｍ）は、回収口からから回収されるのである。
【００４７】
次に図１と図２と図３と図４において、スギ・ヒノキ等の腐食樹皮培土（Ｍ）に対する
加水装置について説明する。
本発明の加水したスギ・ヒノキ等の針葉樹の腐食樹皮より成る培土は、図１において示
す如く、スギ・ヒノキ等の腐食樹皮培土（Ｍ）がハンマークラッシャー（Ｆ）により圧砕
されて、次に回転式トロンメル選別機（Ｇ）に到る経路の途中部分において、加水噴射用
ポンプ（Ｑ）により噴霧状態で加水するのである。
ハンマークラッシャー（Ｆ）の後処理の段階で、回転式トロンメル選別機（Ｇ）が設け
られていない場合には、ハンマークラッシャー（Ｆ）と運搬用の袋であるフレコン（Ｅ）
に入れる前の段階で、噴射加水するのである。
【００４８】
該加水後の含水率は４５〜５５％が最適であるが、一般的には更に広いレンジを考慮し
て３３〜６３％が良いのである。
更に、該加水する場合の水は、単純に水であっても良いが、更に、スギ・ヒノキ等の腐
食樹皮培土（Ｍ）の効果を長続きさせる為に、金属イオン水として、スギ・ヒノキ等の腐
食樹皮培土（Ｍ）の金属イオンを添加することも可能である。
【００４９】
該金属イオン水は、銀イオンでも良いし、また銅イオンでも良いのであるが、本発明に
おいては、銀イオンについて説明する。
該銀イオン水製造装置は、イオン水タンク（Ａ）と、イオン発生装置（Ｂ）と、イオン
水濾過装置（Ｄ）と、イオン濃度制御装置（Ｃ）と、イオン水製造用ポンプ（Ｐ）等によ
り構成されている。
【００５０】
該金属イオン水は、イオン発生装置（Ｂ）によりイオン水を製造しながら、直接にスギ
・ヒノキ等の腐食樹皮培土（Ｍ）に噴射することも可能である。
しかし、イオン水製造装置と、スギ・ヒノキ等の腐食樹皮培土（Ｍ）の製造プラントの
間の、製造速度の差が発生することから、イオン水の方を先に大量に製造して、イオン水
タンク（Ａ）に貯留しておき、これを、加水噴射用ポンプ（Ｑ）によりくみ出して、ハン
マークラッシャー（Ｆ）の後や、回転式トロンメル選別機（Ｇ）の後で、フレコン（Ｅ）
に投入する前のスギ・ヒノキ等の腐食樹皮培土（Ｍ）に、噴霧口（Ｈ）により圧力を掛け
て噴射加水するように構成している。
【００５１】
故に、加水噴射用ポンプ（Ｑ）に投入した状態では、含水率が高い状態となっており、
この製造プラントから、施工するスポーツグラウンドや芝生植生サッカー場までの、トラ
ック等による搬送の過程で、更に、噴射加水した水と、スギ・ヒノキ等の腐食樹皮培土（
Ｍ）が混合され、スポーツグラウンドや芝生植生サッカー場において、現地度の表層土と
混合する際において、これらの土壌と混合しやすいてスギ・ヒノキ等の腐食樹皮培土（Ｍ
）となっているのである。
【００５２】
図３と図４において、イオン発生装置（Ｂ）の構成を図示している。
該イオン発生装置（Ｂ）は、入口パイプ（３）と出口パイプ（２）との間に、電極容器
（１）が設けられており、該電極容器（１）の内部に、下向きに配置した電極棒（Ｋ）が
、２本以上対峙した状態で垂下されている。該２本以上が垂下された電極棒（Ｋ）の間を
、水が入口パイプ（３）から出口パイプ（２）へと通過することにより、電極棒（Ｋ）の
間に掛けられた高圧電流により、水がイオン化されるのである。
【００５３】
本実施例においては、該電極棒（Ｋ）は銀により構成されており、該銀性電極棒（Ｋ）
が、電極容器（１）内において垂下配置されていることにより、そこを通過する水が銀イ
オン水となるのである。
該電極棒（Ｋ）には、イオン発生装置（Ｂ）の処理容量により、掛ける電流が決められ
ており、大量の銀イオン水を発生する場合には、高電流が掛けられるのである。また消費
電力も大きくなるのである。この電流と電力の調整を、イオン濃度制御装置（Ｃ）により
調整することが出来るのである。
【００５４】
金属イオンの中において、銀イオンや銅イオンを使用することが出来る。その中で銀イ
オンは、１９２９年にドイツのＧ．クラウスによって、水中の微生物を抑制する作用があ
ることが発見された。以来、銀は水や食べ物の腐敗防止作用を発揮するものとして、食器
に用いられ、今日においては、様々な除菌グッズとして応用されている。
銀イオンは、安全性の高い金属イオンであり、日本の飲料水基準では、銀イオンの含有
量を規制されていない。また、既存添加物名簿においても、１２６番に食品添加物として
認可されている銀は、銀箔や銀歯などとして人体に身近な生活環境においても使用されて
いる金属です。
【００５５】
純銀を水中で電気分解することにより発生する銀イオンは、人体に対して安全で、除菌
力が強い金属イオンとしてその後も使用されている。本発明においては、スギ・ヒノキ等
の天然樹皮を嫌気性発酵させることにより腐食させ、クラッシャーで圧砕した腐食樹皮培
土とし、この培土に、更に銀イオンを含んだ銀イオン水を散水混合することにより、除菌
作用や、雑草抑制効果や、培土の土壌抱持作用を助長させるものである。
【００５６】
上記の銀イオンは、揮発することが無いので、長時間にわたり除菌効果を持続すること
が出来るのである。
また、本発明の銀イオンにより構成したイオン水は、人体に対して無害・無臭・無刺激
であり、過敏な皮膚の人に対しても、入浴したとしても害を発生させないのである。
また、銀イオンは、水自体の有害菌を除菌することが出来るのである。また、銀イオン
のみでの使用も可能であるが、その他の紫外線やオゾン水などの併用も可能である。また
、本発明の銀イオン水発生装置においては、自動運転制御機構を具備しているので、安定
した銀イオン水を供給することが出来るのである。
【００５７】
図５においては、代表的な菌類に対する銀イオンの除菌効果を図示している。
レジオネラ菌に対しては、０．０３ｐｐｍで２分間で除菌効果を発揮する。
大腸菌に対しては、０．１ｐｐｍで２０分間で除菌効果を発揮する。
ＭＲＳＡに対しては、０．１ｐｐｍで１０分間で除菌効果を発揮する。
白癬菌に対しては、０．５ｐｐｍで１５分間で除菌効果を発揮する。
緑膿菌に対しては、０．１ｐｐｍで５分間で除菌効果を発揮するのである。
【００５８】
銀イオンが各種の菌に対して除菌作用を発揮する原理は、図６において図示されており
、銀イオンが細胞膜に接触するとマイナスに帯電した細胞膜の表面組織に穴が開き、細胞
質が流出し、菌類は活動を阻害されるのである。
【００５９】
図１２においては、本発明のスギ・ヒノキ等の腐食樹皮培土（Ｍ）を、スポーツグラウ
ンドにおいて施工する状況を図示している。また図１３は、本発明のスギ・ヒノキ等の腐
食樹皮培土（Ｍ）が、絡んだ綿状短繊維であることを図示している。
図１２において図示する如く、フレコン（Ｅ）に詰められて、スポーツグラウンド等に
搬送されたスギ・ヒノキ等の腐食樹皮培土（Ｍ）は、十分に加水されており、３３〜６３
％の含水率となっている。
【００６０】
このように、３３〜６３％に加水されていることにより、実際は絡んだ綿状短繊維であ
りながら、表層土の比重と大きくは変わらない重量となっている。故に、「資材搬入」→
「資材混合」→「混合資材のストック」→「一次混合」→「二次混合」→「転圧」と、ス
ポーツグラウンドにおける飛砂防止施工や、泥濘化阻止施工や、雑草繁茂阻止施工を行う
際において、表層土との混ざり具合が良くなり、転圧後において、短時間の間に、スギ・
ヒノキ等の腐食樹皮培土（Ｍ）が飛散したり、雨水により同時に流れて、流出したりする
ことは無くなったのである。
【符号の説明】
【００６１】
Ａ  イオン水タンク
Ｂ  イオン発生装置
Ｃ  イオン濃度制御装置
Ｄ  イオン水濾過装置
Ｅ  フレコン
Ｆ  ハンマークラッシャー
Ｇ  回転式トロンメル選別機
Ｎ  木材
Ｍ  スギ・ヒノキ等の腐食樹皮培土
【図１】
2014187961.tif 000003
【図２】
2014187961.tif 000004
【図５】
2014187961.tif 000005
【図６】
2014187961.tif 000006
【図７】
2014187961.tif 000007
【図８】
2014187961.tif 000008
【図９】
2014187961.tif 000009
【図１０】
2014187961.tif 000010
【図１１】
2014187961.tif 000011
【図３】
2014187961.tif 000012
【図４】
2014187961.tif 000013
【図１２】
2014187961.tif 000014
【図１３】
2014187961.tif 000015